(57)【特許請求の範囲】
【請求項１】
記録媒体に関連して記憶され、遊技媒体の貸出基準となる価値情報を管理する装置であって、
記録媒体の発行に際して該記録媒体に関連した価値情報に遊技媒体貸し出しの有効期限を設定する一方、前記記録媒体を通じて追加入金された場合に追加入金の額に応じて価値情報の加算処理を行うとともに、当該追加入金の額に応じて更新基準期間を設定し、この更新基準期間を延長期間として価値情報の有効期限を更新設定することを特徴とする価値情報の管理装置。
【請求項２】
記録媒体に関連して記憶された価値情報に基づいて遊技媒体の貸し出しを行うようにした遊技媒体貸出システムであって、
記録媒体に記録された固有識別情報に所定の価値情報を関連づけて記憶する価値情報記憶手段と、
記録媒体を受け入れた場合に該記録媒体に記録された固有識別情報を読み取る読取手段と、
追加入金を受け入れる追加入金受入手段と、
前記価値情報記憶手段に記憶された価値情報に有効期限を設定する有効期限設定手段と、
前記読取手段が記録媒体を受け入れた状態で前記追加入金受入手段に追加入金された場合に、該読取手段が読み取った固有識別情報に関連して前記価値情報記憶手段に記憶された価値情報を加算処理するとともに、追加入金の額に応じて前記有効期限を更新するための更新基準期間を設定し、かつ前記有効期限設定手段を介して当該価値情報の有効期限を、前記更新基準期間を延長期間として更新設定する制御手段と
を備えたことを特徴とする遊技媒体貸出システム。
【請求項３】
記録媒体に関連して記憶された価値情報に基づいて遊技媒体の貸し出しを行うようにした遊技媒体貸出システムであって、
記録媒体に記録された固有識別情報に所定の価値情報を関連づけて記憶し、これに遊技媒体貸し出しの有効期限を設定する管理装置と、
記録媒体および追加入金を受け入れた場合に該記録媒体に記録された固有識別情報を含めて前記管理装置に価値情報の加算更新要求を与える記録媒体処理装置と
を備え、前記記録媒体処理装置から価値情報の加算更新要求が与えられた場合に前記管理装置が、前記固有識別情報に関連した価値情報に前記追加入金の額に応じた加算更新処理を実施するとともに、当該追加入金の額に応じて更新基準期間を設定し、この更新基準期間を延長期間として価値情報の有効期限を更新設定することを特徴とする遊技媒体貸出システム。
【請求項４】
前記更新設定する有効期限は、残存している有効期間に対して前記更新基準期間を足し合わせた期間であることを特徴とする請求項２または３に記載の遊技媒体貸出システム。
【請求項５】
前記更新設定する有効期限は、価値情報の加算更新処理を実施した日から前記更新基準期間が完了するまでの期間であることを特徴とする請求項２または３に記載の遊技媒体貸出システム。
【請求項６】
前記更新設定する有効期限は、残存している有効期間に対して前記更新基準期間が短い場合、当該残存している有効期間が完了するまでの期間であることを特徴とする請求項２または３に記載の遊技媒体貸出システム。
【請求項７】
受け入れた記録媒体に関連した価値情報の有効期限を表示する有効期限表示手段を前記記録媒体処理装置に設けたことを特徴とする請求項２〜６のいずれか１項に記載の遊技媒体貸出システム。
【請求項８】
記録媒体に関連した価値情報の有効期限を利用者が認識可能な態様で記録媒体に記録を施す記録手段を設けたことを特徴とする請求項２〜７のいずれか１項に記載の遊技媒体貸出システム。
【発明の詳細な説明】
【０００１】
【発明の属する技術分野】
本発明は、記録媒体に関連して記憶され、遊技媒体の貸出基準となる価値情報を管理する装置、さらには記録媒体に関連して記憶された価値情報に基づいて遊技媒体の貸し出しを行うようにした遊技媒体貸出システムに関するものである。
【０００２】
【従来の技術】
現在、パチンコ機やパチスロ機等の遊技機を設置した遊技店で遊技を行う場合には、例えばカード発行機から一旦現金でプリペイドカード等の記録媒体を購入し、この記録媒体に付与された価値情報に応じてパチンコ玉やメダル等の遊技媒体を借り受ける方法が一般的である。
【０００３】
こうした遊技媒体の貸出システムにおいては、プリペイドカードに金額または金額に相当する価値情報そのものを磁気記録するタイプのものと、遊技店の管理装置が記憶した価値情報を検索するための識別情報のみを磁気記録するタイプのものとがある。前者の場合には、例えば遊技機の相互間に設置したカード処理ユニットにプリペイドカードを挿入すれば、該プリペイドカードを読み取ることで直接価値情報を取得することができるため、一方、後者の場合には、カード処理ユニットが読み取った識別情報に基づいて管理装置から価値情報を取得することができるため、いずれにおいてもプリペイドカードに付与された価値情報を上限とした遊技媒体の貸し出しを行うことが可能となる。
【０００４】
遊技媒体の貸し出し代金に関しては、これを価値情報から差し引き更新することによって精算する。すなわち、プリペイドカードに価値情報を磁気記録したプリペイドカードを適用する遊技媒体貸出システムでは、プリペイドカードの価値情報そのものを減算することによって精算が完了する。一方、価値情報を検索するための識別情報のみを磁気記録したプリペイドカードを適用する遊技媒体貸出システムでは、減算した情報がカード処理ユニットから管理コンピュータに送信され、減算処理した新たな価値情報がプリペイドカードの識別情報と共に記憶部に記憶されることで精算が完了する。
【０００５】
上述した精算の結果、プリペイドカードの価値情報が「０」となれば、以降、当該プリペイドカードをカード処理ユニットに挿入した場合であっても、遊技媒体の貸し出しは行われない。従って、例えば遊技中にプリペイドカードの価値情報が「０」となった場合には、一旦遊技機を離れ、カード発行機まで出向いてプリペイドカードを購入しなければ新たな遊技媒体の借り受けができないことになり、利用者の遊技意欲を著しく損なうばかりか、遊技機の稼働率にも多大な影響を及ぼす虞れがある。
【０００６】
このため昨今においては、遊技機毎に隣設されたカード処理ユニットに価値情報の加算処理機能を付与するようにした遊技媒体貸出システムを導入し、利用者の利便性を向上させると同時に遊技機の稼働率向上を図ろうとする検討がなされている。すなわち、カード処理ユニットにプリペイドカードを挿入した状態で該カード処理ユニットに現金やデビットカードにより追加入金を行った場合には、この追加入金の額に応じてプリペイドカードの価値情報を加算処理しようとするものである。こうした遊技媒体貸出システムによれば、例えば遊技中にプリペイドカードの価値情報が「０」になったとしても、カード処理ユニットに追加入金を行えば遊技機を離れることなく新たな遊技媒体の借り受けが可能になる。
【０００７】
【発明が解決しようとする課題】
ところで、上述したプリペイドカードには、遊技店毎に設置した管理装置の処理負担を軽減させる等の理由から、一定の有効期限を設定する必要がある。つまり、有効期限内のプリペイドカードに関してのみその価値情報および識別情報を遊技店の管理装置が管理する一方、有効期限を徒過したプリペイドカードに関してはその価値情報および識別情報を、より処理能力の大きな中央管理コントローラに移管するようにしている。
【０００８】
この場合、有効期限を徒過したプリペイドカードに対しては、当然ながらこれをカード処理ユニットに挿入したとしても遊技媒体の貸し出しは行われない。このため、上述したように、カード処理ユニットに価値情報の加算処理機能を付与した遊技媒体貸出システムを導入したとしても、有効期限が迫っているプリペイドカードに対しては追加入金を躊躇うのが利用者の心理であり、大きな効果を期待することは難しい。特に、五千円札や一万円札といった高額紙幣による追加入金を期待することは一層困難である。
【０００９】
結局のところは、新たな遊技媒体貸出システムを導入した後においても、遊技中にプリペイドカードの価値情報が「０」となった場合に、遊技機を離れてカード発行機にプリペイドカードを購入しに出向くという利用者が皆無となることはない。因に、有効期限を徒過したプリペイドカードであっても、価値情報が「０」でない限り、これを専用のカード更新機に挿入すれば、再度有効期限を設定した新たなプリペイドカードとなるため、利用者自身に金額に関する損失を与えることはない。しかしながら、遊技機を離れてカード更新機で更新のための処理を行うという煩雑な操作が必要になることには変わりなく、上述した新たな遊技媒体貸出システムに大きな効果をもたらすには至らない。
【００１０】
この発明は、上記従来技術による課題を解決するためになされたものであり、記録媒体に有効期限を設定した状況下においても利用者の利便性を向上させるとともに遊技機の稼働率を向上させることのできる価値情報の管理装置および遊技媒体貸出システムを提供することを目的とする。
【００１１】
【課題を解決するための手段】
本発明は、上記目的を達成するためになされたものであり、本発明の請求項１に係る価値情報の管理装置は、記録媒体に関連して記憶され、遊技媒体の貸出基準となる価値情報を管理する装置であって、記録媒体の発行に際して該記録媒体に関連した価値情報に遊技媒体貸し出しの有効期限を設定する一方、前記記録媒体を通じて追加入金された場合に追加入金の額に応じて価値情報の加算処理を行うとともに、当該追加入金の額に応じて更新基準期間を設定し、この更新基準期間を延長期間として価値情報の有効期限を更新設定することを特徴とする。
【００１２】
また、本発明の請求項２に係る遊技媒体貸出システムは、記録媒体に関連して記憶された価値情報に基づいて遊技媒体の貸し出しを行うようにした遊技媒体貸出システムであって、記録媒体に記録された固有識別情報に所定の価値情報を関連づけて記憶する価値情報記憶手段と、記録媒体を受け入れた場合に該記録媒体に記録された固有識別情報を読み取る読取手段と、追加入金を受け入れる追加入金受入手段と、前記価値情報記憶手段に記憶された価値情報に有効期限を設定する有効期限設定手段と、前記読取手段が記録媒体を受け入れた状態で前記追加入金受入手段に追加入金された場合に、該読取手段が読み取った固有識別情報に関連して前記価値情報記憶手段に記憶された価値情報を加算処理するとともに、追加入金の額に応じて前記有効期限を更新するための更新基準期間を設定し、かつ前記有効期限設定手段を介して当該価値情報の有効期限を、前記更新基準期間を延長期間として更新設定する制御手段とを備えたことを特徴とする。
【００１３】
また、本発明の請求項３に係る遊技媒体貸出システムは、記録媒体に関連して記憶された価値情報に基づいて遊技媒体の貸し出しを行うようにした遊技媒体貸出システムであって、記録媒体に記録された固有識別情報に所定の価値情報を関連づけて記憶し、これに遊技媒体貸し出しの有効期限を設定する管理装置と、記録媒体および追加入金を受け入れた場合に該記録媒体に記録された固有識別情報を含めて前記管理装置に価値情報の加算更新要求を与える記録媒体処理装置とを備え、前記記録媒体処理装置から価値情報の加算更新要求が与えられた場合に前記管理装置が、前記固有識別情報に関連した価値情報に前記追加入金の額に応じた加算更新処理を実施するとともに、当該追加入金の額に応じて更新基準期間を設定し、この更新基準期間を延長期間として価値情報の有効期限を更新設定することを特徴とする。
【００１４】
また、本発明の請求項４に係る遊技媒体貸出システムは、上述した請求項２または３において、前記更新設定する有効期限は、残存している有効期間に対して前記更新基準期間を足し合わせた期間であることを特徴とする。
【００１５】
また、本発明の請求項５に係る遊技媒体貸出システムは、上述した請求項２または３において、前記更新設定する有効期限は、価値情報の加算更新処理を実施した日から前記更新基準期間が完了するまでの期間であることを特徴とする。
【００１６】
また、本発明の請求項６に係る遊技媒体貸出システムは、上述した請求項２または３において、前記更新設定する有効期限は、残存している有効期間に対して前記更新基準期間が短い場合、当該残存している有効期間が完了するまでの期間であることを特徴とする。
【００１７】
また、本発明の請求項７に係る遊技媒体貸出システムは、上述した請求項２〜６のいずれか１項において、受け入れた記録媒体に関連した価値情報の有効期限を表示する有効期限表示手段を前記記録媒体処理装置に設けたことを特徴とする。
【００１８】
また、本発明の請求項８に係る遊技媒体貸出システムは、上述した請求項２〜７のいずれか１項において、記録媒体に関連した価値情報の有効期限を利用者が認識可能な態様で記録媒体に記録を施す記録手段を設けたことを特徴とする。
【００２２】
【発明の実施の形態】
以下に添付図面を参照して、この発明に係る価値情報の管理装置および遊技媒体貸出システムの好適な実施の形態を詳細に説明する。なお、本実施の形態では、主として本発明をパチンコ遊技に適用した場合を示す。
【００２３】
図１は、本実施の形態である遊技媒体貸出システムの概略構成を示すブロック図である。まず、ここで例示する遊技媒体貸出システムでは、記録媒体として会員カードおよびプリペイドカードを適用する。
【００２４】
会員カードは、住所や氏名等の会員情報を登録した会員に対して遊技店Ｈが発行する合成樹脂製のカード（ＪＩＳ２）であり、各種情報が磁気記録および印字してある。具体的には、発行店の識別情報や会員識別情報等が磁気記録してあるとともに、これと同等の情報が目視できるように印字してある。
【００２５】
これに対してプリペイドカードは、任意の利用者に対して遊技店Ｈが都度発行する紙製のカードであり、上述した会員カードと同様、各種情報が磁気記録および印字してある。具体的には、発行店の識別情報、カード固有の識別情報、発行金額、カード種別等が磁気記録してあるとともに、図２（ａ）に示すように、発行店名ａ、カード固有識別情報ｂ（例えば発行機番号＋連番）、発行金額ｃおよび有効期限ｄ等が目視できるように印字してある。
【００２６】
これらの会員カードおよびプリペイドカードは、その材質や板厚および記録内容が相違するものの、縦横の寸法が同一であるとともに、各種情報を記録するための磁気ストライプも同一の位置に設けてある。
【００２７】
また、会員カードおよびプリペイドカードには、それぞれパチンコ玉を借り受ける際の基準となる価値情報、具体的には「度数」と称される価値情報を付与してある。ここでいう「度数」とは、パチンコ玉の貸出処理単位であり、所定のレートで設定してある。例えば、１度数が１００円に対応し、この１度数でパチンコ玉が２５個だけ貸し出されるように設定してある。
【００２８】
本実施の形態の場合、それぞれの度数は、個々のカードには記録しておらず、後述するターミナルコントローラに記憶させてある。具体的には、会員カードの場合、その度数が会員識別情報に関連づけてターミナルコントローラに記憶させてある。一方、プリペイドカードの場合には、図３に示すように、度数値が固有識別情報に関連づけてターミナルコントローラに記憶させてある。さらに、プリペイドカードの場合には、購入した時点で付与された度数値、発行日、追加入金の累積額および有効期限がその固有識別情報に関連づけて記憶させてある。会員カードには特別に有効期限を設定していないものの、プリペイドカードには発行日から一定の期間、例えば８日間を有効期限として設定してある。
【００２９】
図１に示すように、本実施の形態の遊技媒体貸出システムでは、それぞれ「島」と呼ばれるグループごとに複数のパチンコ機１０が並設してあるとともに、各島にカード発行機２０、カード処理ユニット３０、カード更新機４０等の記録媒体処理装置が適宜設けてある。
【００３０】
パチンコ機１０は、遊技媒体であるパチンコ玉を遊技領域に発射して利用者が遊技を行う部分である。カード発行機２０は、会員カードに関連づけられた度数に対する加算処理、並びにプリペイドカードの発行処理を主機能とするものであり、各遊技店Ｈに数台ずつ設置してある。カード処理ユニット３０は、会員カードやプリペイドカードに関連づけられた度数を上限とするパチンコ玉の貸し出し処理を主機能とするものである。このカード処理ユニット３０は、遊技店Ｈに設置された複数のパチンコ機１０それぞれに対して１台ずつペアとなるように用意され、パチンコ機１０の相互間に挟まれる形で設置してある。カード更新機４０は、有効期限を徒過したプリペイドカードを新たなプリペイドカードとして発行する処理を主機能とするもので、各遊技店Ｈに数台ずつ設置してある。
【００３１】
図４は、本実施の形態で適用するカード処理ユニット３０およびパチンコ機１０の外観を示した正面図、図５は、カード処理ユニット３０の内部構成を示すブロック図である。
【００３２】
図４に示すように、カード処理ユニット３０は、外見上縦長に構成したもので、その前面パネルにカード挿入口３１、紙幣投入口３２、硬貨投入口３３、度数表示部３４、有効期限表示部３５および返却ボタン３６等のインターフェースを有している。カード挿入口３１は、会員カードもしくはプリペイドカードを受け入れてこれをカード読取部３１１に取り込むための開口である。カード読取部３１１は、取り込んだカードの読み取りを行い、その読取結果を制御部３７に与える処理と、カードに対して所望の印字を施す処理とを行う部分である。紙幣投入口３２は、紙幣を受け入れてこれをＢＶ（ビルバリ）ユニット部３２１に取り込むための開口である。ＢＶユニット部３２１は、取り込まれた紙幣の金種を識別し、この識別結果を制御部３７に与えるとともに、取り込んだ紙幣を島端回収ボックスに搬出させるべく紙幣搬送路３２２へ導出する部分である。硬貨投入口３３は、硬貨を受け入れてこれをコインセレクタ部３３１に取り込むための開口である。コインセレクタ部３３１は、取り込んだ硬貨の金種を識別し、この識別結果を制御部３７に与えるとともに、取り込んだ硬貨を島端回収ボックスに搬出させるべく硬貨搬送路３３２へ導出する部分である。度数表示部３４は、カード読取部３１１に取り込まれたカードに残存する度数を数値表示するための部分である。有効期限表示部３５は、カード読取部３１１に取り込まれたカードの有効期限を数値表示する部分である。返却ボタン３６は、カード読取部３１１に取り込まれたカードを返却する際に利用者によってＯＮ操作されるボタンスイッチである。この返却ボタン３６のＯＮ操作検出信号は、上述した制御部３７に与えられることになる。
【００３３】
一方、遊技機であるパチンコ機１０には、遊技領域１１の下方に設けた上皿１２に度数表示部１３、貸出ボタン１４、返却ボタン１５および貸出ランプ１６を設けてある。度数表示部１３は、カード処理ユニット３０の度数表示部３４と同様、カード読取部３１１に取り込まれたカードに残存する度数を数値表示するための部分である。貸出ボタン１４は、パチンコ玉の貸し出しを受ける際に利用者がＯＮ操作するボタンスイッチである。返却ボタン１５は、カード処理ユニット３０の返却ボタン３６と同様に、カード読取部３１１に取り込まれたカードを返却する際に利用者によってＯＮ操作されるボタンスイッチである。これら貸出ボタン１４および返却ボタン１５のＯＮ操作検出信号は、それぞれカード処理ユニット３０の制御部３７に与えられることになる。
【００３４】
また、上記パチンコ機１０には、その内部に玉投出手段１７が設けてある。玉投出手段１７は、カード処理ユニット３０の制御部３７から打球投出信号が与えられた場合、並びにパチンコ機１０の図示せぬ制御手段から賞球投出信号が与えられた場合に、それぞれパチンコ機１０の上皿１２に所定数のパチンコ玉を投出する部分である。
【００３５】
上述したパチンコ機１０、カード発行機２０、カード処理ユニット３０およびカード更新機４０は、各島に設けた島コントローラ５０を通じてターミナルコントローラ６０と称される管理装置の制御下にある。ターミナルコントローラ６０は、各遊技店Ｈに少なくとも１台設置してあり、設置した遊技店Ｈの統括管理、例えばカード管理、会員の管理、売上管理等を行うとともに、上述したように、会員カードおよびプリペイドカード個々の度数を記憶管理する部分であり、中央管理コントローラ７０と相互に通信可能に設けてある。中央管理コントローラ７０は、当該遊技媒体貸出システムの契約遊技店Ｈに設置したすべてのターミナルコントローラ６０との間において適宜通信を行うことにより、遊技店Ｈ毎の売上集計、カード管理、機器管理等を行う部分である。また、この中央管理コントローラ７０では、有効期限を徒過したプリペイドカードの度数およびその固有識別情報をターミナルコントローラ６０から吸い上げ、これを自身で記憶管理する処理も行っている。
【００３６】
次に、図６乃至図９に示すフローチャートに従って、本実施の形態の遊技媒体貸出システムの動作について順次説明していく。
【００３７】
図６は、上述したカード発行機２０において実施されるプリペイドカード発行処理を示すものである。このプリペイドカード発行処理では、ステップＳ１０１において利用者が貨幣を投入すると、投入金額以下の選択ボタンが有効化され、当該有効化した選択ボタンの操作待ちとなる（ステップＳ１０２）。ステップＳ１０２において利用者が所望の選択ボタンをＯＮ操作すると、このＯＮ操作された選択ボタンの金額情報を含めたカード発行許可要求を、島コントローラ５０を通じてターミナルコントローラ６０に与え（ステップＳ１０３）、その後、カード発行許可の受信待機状態となる（ステップＳ１０４）。
【００３８】
この間、カード発行許可要求を受信したターミナルコントローラ６０は、ＯＮ操作された選択ボタンの金額に対応する度数を固有の識別情報に対応づけて自身の記憶部に格納した後、島コントローラ５０を通じて許可要求の発信元となるカード発行機２０にカード発行許可を送信する。このカード発行許可には、発行するプリペイドカードの度数に対応づけた固有識別情報が含まれる。
【００３９】
ターミナルコントローラ６０からのカード発行許可を受信したカード発行機２０は、予め内部に装填されたロール紙に対して適宜切断・印字・記録処理を施すことにより、プリペイドカードを作成する（ステップＳ１０５）。このプリペイドカードには、発行店の識別情報、カード固有の識別情報、発行金額、カード種別等が磁気記録されることになる。またプリペイドカードの表面には、図２（ａ）に示すように、発行店名ａ、カード固有識別情報ｂ、発行金額ｃおよび有効期限ｄ等が印字されることになる。最後にこのプリペイドカードを利用者に対して発行し（ステップＳ１０６）、手順をリターンさせる。なお、ステップＳ１０１において貨幣が投入され、かつステップＳ１０２でＯＮ操作された選択ボタンの度数が当該投入貨幣よりも小さい場合には、プリペイドカードの発行前後において利用者に釣り銭が払い出される。
【００４０】
次に、上記のようにして発行されたプリペイドカード、あるいは会員に対して予め発行した会員カードを、カード処理ユニット３０に挿入した場合のカード受入処理について説明する。図７は、カード処理ユニット３０で実施されるカード受入処理を示したフローチャート、図８は、カード受入処理に伴ってターミナルコントローラ６０で実施されるカード情報管理処理のフローチャート、図９は、カード情報管理処理中にターミナルコントローラ６０で実施される有効期限更新処理のフローチャートである。
【００４１】
まず、カード受入処理では、図７のステップＳ２０１において利用者が会員カード、もしくはプリペイドカードを挿入すると、カード処理ユニット３０が、当該カードに磁気記録された内容の読み取りを行う（ステップＳ２０２）。カードの読み取りを行ったカード処理ユニット３０は、その会員識別情報、もしくはカード固有識別情報を含めた度数の問い合わせを、島コントローラ５０を通じてターミナルコントローラ６０に与えた後（ステップＳ２０３）、その回答受信待機状態となる（ステップＳ２０４）。
【００４２】
一方、図８のステップＳ３０１において、カード処理ユニット３０から度数の問い合わせを受信したターミナルコントローラ６０は、会員識別情報、もしくはカード固有識別情報に基づいて問い合わせに係るカードが会員カードかプリペイドカードかを判断した後（ステップＳ３０２）、これら会員識別情報、もしくはカード固有識別情報を基に自身が記憶している度数を読み出す（ステップＳ３０３）。ステップＳ３０２においてカード処理ユニット３０から受信した問い合わせに係るカードがプリペイドカードの場合には、有効期限に係る情報の読み出しも行い（ステップＳ３０４）、その後、これらの読み出し結果を、島コントローラ５０を通じてカード処理ユニット３０に転送する（ステップＳ３０５）。
【００４３】
図７のステップＳ２０４において、ターミナルコントローラ６０から問い合わせ回答を受信したカード処理ユニット３０は、受け入れたカードが会員カードかプリペイドカードかを判断し（ステップＳ２０５）、これがプリペイドカードの場合、有効期限を徒過しているか否かを判断する（ステップＳ２０６）。有効期限を徒過したプリペイドカードの場合には、手順を後述するステップＳ５００に進める。
【００４４】
一方、ステップＳ２０５において、カードが会員カードである場合、あるいはステップＳ２０６において、プリペイドカードに有効期間が残存している場合には、それぞれ手順をステップＳ２０８に進め、所定の時間だけ追加入金があるか否かを監視する。追加入金がない場合には、カードの度数が残存するか否かを判断し（ステップＳ２０９）、これが「０」であれば、手順を後述するステップＳ５００に進める一方、度数が「０」でない場合には、手順を後述するステップＳ２１３に進めて貸出ボタン１４の入力待ちとなる。
【００４５】
これに対してステップＳ２０８において追加入金があった場合には、その金額に応じた度数加算要求を会員識別情報、もしくはカード固有識別情報と共に島コントローラ５０を通じてターミナルコントローラ６０に与え（ステップＳ２１０）、その後、加算結果の受信待ちとなる（ステップＳ２１１）。
【００４６】
図８のステップＳ３０６において、カード処理ユニット３０から度数加算要求を受信したターミナルコントローラ６０は、会員識別情報、もしくはカード固有識別情報に基づいて加算対象となるカードが会員カードかプリペイドカードかを判断した後（ステップＳ３０８）、これら会員識別情報、もしくはカード固有識別情報を基に自身が記憶している度数を追加入金の金額に応じて加算する処理を実施する（ステップＳ３０９）。ステップＳ３０８においてカードがプリペイドカードの場合には、有効期限に係る情報の更新処理も実施する（ステップＳ４００）。
【００４７】
このターミナルコントローラ６０で実施される有効期限の更新処理は、図９に示すように、まず更新基準期間を設定する処理を実施する（ステップＳ４０１）。更新基準期間は、図１０（ａ）に示すように、カード処理ユニット３０に追加入金された金額に応じて設定する有効期限の延長期間である。図１０（ａ）に示す例は、ターミナルコントローラ６０に予め設定されている初期設定値であり、例えば追加入金の累計が１０００円以下の場合に０日、２０００円以下の場合に１日、３０００円以下の場合に２日、・・・というように１０００円毎に１日ずつ増えるように設定してある。この更新基準期間は、遊技店Ｈ毎に任意に変更可能であり、ターミナルコントローラ６０への設定入力により、例えば図１０（ｂ）に示すように、追加入金の累計が５０００円未満の場合０日、１００００円未満の場合４日、・・・というように遊技店Ｈの営業方針に応じて設定することも可能である。
【００４８】
ステップＳ４０１で更新基準期間を設定したターミナルコントローラ６０は、カードの有効期限を、現在残存しているカードの有効期間と更新基準期間との和に更新し（ステップＳ４０２）、これをカード処理ユニット３０に転送して（ステップＳ４０３）、手順をリターンさせる。
【００４９】
図７のステップＳ２１１において、ターミナルコントローラ６０から度数の加算結果を受信すると、この加算処理された度数を度数表示部１３，３４に数値表示させるとともに、加算処理に伴う新たな有効期限を有効期限表示部３５に数値表示させ（ステップＳ２１２）、その後、貸出ボタン１４の入力待ちとなる（ステップＳ２１３）。この間、ステップＳ２１４において返却ボタン１５，３６がＯＮされた場合には、カード返却処理を実施し（ステップＳ５００）、手順をリターンさせる。
【００５０】
ステップＳ５００で実施されるカード返却処理は、図１１に示すように、有効期限を更新したか否かを判断し（ステップＳ５０１）、有効期限を更新した場合にのみ、カード読取部３１１においてその更新結果をプリペイドカードの表面に印字する処理である（ステップＳ５０２）。印字結果は、例えば図２（ｂ）に示すように、更新以前の有効期限ｄの下に新たな有効期限ｄ′として印字すればよい。なお、図２（ｃ）は、有効期限を徒過したプリペイドカードをカード更新機４０に挿入し、新たなプリペイドカードとして発行したものである。つまり、カード更新機４０によって新たに発行したプリペイドカードとカード処理ユニット３０によって有効期限を更新したプリペイドカードとは、有効期限に係る印字態様が異なることになる。
【００５１】
一方、図７のステップＳ２１３において、利用者が貸出ボタン１４をＯＮ操作した場合には、パチンコ機１０の玉投出手段１７に対して打球投出信号を与える（ステップＳ２１６）。この結果、玉投出手段１７の駆動によって、パチンコ機１０の上皿１２に所定数のパチンコ玉が投出され、利用者がパチンコ遊技を行うことが可能となる。
【００５２】
パチンコ機１０に打球投出信号を与えたカード処理ユニット３０は、パチンコ玉の投出数に応じた度数分の減算要求を会員識別情報、もしくはカード固有識別情報と共に島コントローラ５０を通じてターミナルコントローラ６０に与え（ステップＳ２１７）、その後、減算結果の受信待機状態となる（ステップＳ２１８）。
【００５３】
図８のステップＳ３１０において、カード処理ユニット３０から度数減算要求を受信したターミナルコントローラ６０は、会員識別情報、もしくはカード固有識別情報を基に自身が記憶している度数をパチンコ玉の投出数に応じて減算する処理を実施するとともに、減算結果をカード処理ユニット３０に転送し（ステップＳ３１１）、その後手順をリターンさせる。
【００５４】
図７のステップＳ２１８において、ターミナルコントローラ６０から度数の減算結果を受信すると、この減算処理された度数を度数表示部１３，３４に表示させ（ステップＳ２１９）、その後、手順をステップＳ２０５にリターンさせて上述した処理を繰り返し実行する。
【００５５】
このように、上記遊技媒体貸出システムによれば、たとえ有効期限の迫ったプリペイドカードを使用している場合であっても、追加入金に応じて有効期限が延長されるようになるため、利用者は安心して追加入金できるようになる。この結果、プリペイドカードの度数が「０」となった場合にも、パチンコ機１０を離れてカード発行機２０にプリペイドカードを購入しに出向く必要がなくなり、その利便性が向上すると同時にパチンコ機１０の稼働率も向上するようになる。しかも、更新された有効期限はカード処理ユニット３０の有効期限表示部３５を通じて常時利用者に表示されるため、またプリペイドカードを携行している場合には当該プリペイドカードの印字ｄ′によって認識できるため、有効期限を正確に把握することが可能になる。また、追加入金のあったプリペイドカードに対してのみ有効期限を延長更新するのであるから、遊技店Ｈ側の管理負担が著しく増大する虞れもない。
【００５６】
なお、上述した実施の形態では、残存する有効期間に更新基準期間がそのまま足し合わされるため、利用者の追加入金意欲が著しく高まるという作用効果を奏するようになる。しかしながら、有効期限の更新方法としては、必ずしもこれに限定されない。例えば、図１２に示すように、更新基準期間を設定した後（ステップＳ５０１）、追加入金があった日から更新基準期間が完了するまでの期間に設定したり（ステップＳ１５０１）、さらには図１３に示すように、残存する有効期間とステップＳ５０１で設定した更新基準期間とを比較し（ステップＳ２５０１）、後者が大きい場合にのみ有効期限を構成するように設定することも可能である（ステップＳ２５０２）。図１２に示す変形例の場合には、残存する有効期間との加算処理を実施しないため、有効期限の管理や処理が容易となる。図１３に示す変形例の場合には、有効期限がいたずらに延長される事態を防止することができる。なお、図１３のステップＳ２５０２で実施される有効期限の更新は、図９のステップＳ４０２と同様に、残余有効期間に更新基準期間を足し合わせたものを有効期限として設定してもよいし、図１２のステップＳ１５０１と同様に、追加入金があった日から更新基準期間が完了するまでの期間を有効期限として設定してもよい。
【００５７】
また、上述した実施の形態では、カード処理ユニット３０に度数表示部３４と有効期限表示部３５とを個別に設けるようにしているが、これらの情報は、共通の表示部において切り替え表示するようにしても構わない。
【００５８】
さらに、追加入金の方法として貨幣によるもののみを示しているが、所謂デビットカードによる入金等、その他の方法であってももちろんよい。
【００５９】
【発明の効果】
以上説明したように、本発明の請求項１に係る発明によれば、記録媒体の発行に際して該記録媒体に関連した価値情報に遊技媒体貸し出しの有効期限を設定する一方、前記記録媒体を通じて追加入金された場合に追加入金の額に応じて価値情報の加算処理を行うとともに、当該追加入金の額に応じて更新基準期間を設定し、この更新基準期間を延長期間として価値情報の有効期限を更新設定するため、たとえ有効期限の迫った記録媒体に対しても利用者は安心して追加入金できるようになり、その利便性が向上すると同時に遊技機の稼働率も向上するようになる。しかも、追加入金のあった記録媒体に対してのみ有効期限を更新するのであるから、遊技店側の管理負担が著しく増大する虞れもない。
【００６０】
また、本発明の請求項２に係る発明によれば、記録媒体に関連して記憶された価値情報に基づいて遊技媒体の貸し出しを行うようにした遊技媒体貸出システムであって、記録媒体に記録された固有識別情報に所定の価値情報を関連づけて記憶する価値情報記憶手段と、記録媒体を受け入れた場合に該記録媒体に記録された固有識別情報を読み取る読取手段と、追加入金を受け入れる追加入金受入手段と、前記価値情報記憶手段に記憶された価値情報に有効期限を設定する有効期限設定手段と、前記読取手段が記録媒体を受け入れた状態で前記追加入金受入手段に追加入金された場合に、該読取手段が読み取った固有識別情報に関連して前記価値情報記憶手段に記憶された価値情報を加算処理するとともに、追加入金の額に応じて前記有効期限を更新するための更新基準期間を設定し、かつ前記有効期限設定手段を介して当該価値情報の有効期限を、前記更新基準期間を延長期間として更新設定する制御手段とを備えているため、たとえ有効期限の迫った記録媒体に対しても利用者は安心して追加入金できるようになり、その利便性が向上すると同時に遊技機の稼働率も向上するようになる。しかも、追加入金のあった記録媒体に対してのみ有効期限を更新するのであるから、遊技店側の管理負担が著しく増大する虞れもない。
【００６１】
また、本発明の請求項３に係る発明によれば、記録媒体に関連して記憶された価値情報に基づいて遊技媒体の貸し出しを行うようにした遊技媒体貸出システムであって、記録媒体に記録された固有識別情報に所定の価値情報を関連づけて記憶し、これに遊技媒体貸し出しの有効期限を設定する管理装置と、記録媒体および追加入金を受け入れた場合に該記録媒体に記録された固有識別情報を含めて前記管理装置に価値情報の加算更新要求を与える記録媒体処理装置とを備え、前記記録媒体処理装置から価値情報の加算更新要求が与えられた場合に前記管理装置が、前記固有識別情報に関連した価値情報に前記追加入金の額に応じた加算更新処理を実施するとともに、当該追加入金の額に応じて更新基準期間を設定し、この更新基準期間を延長期間として価値情報の有効期限を更新設定するため、たとえ有効期限の迫った記録媒体に対しても利用者は安心して追加入金できるようになり、その利便性が向上すると同時に遊技機の稼働率も向上するようになる。しかも、追加入金のあった記録媒体に対してのみ有効期限を更新するのであるから、遊技店側の管理負担が著しく増大する虞れもない。
【００６２】
また、本発明の請求項４に係る発明によれば、更新設定する有効期限を、残存している有効期間に対して前記更新基準期間を足し合わせた期間としているため、残存した有効期間をそのまま引き継ぐことができる。
【００６３】
また、本発明の請求項５に係る発明によれば、更新設定する有効期限を、価値情報の加算更新処理を実施した日から前記更新基準期間が完了するまでの期間としているため、有効期限の管理や処理が容易となる。
【００６４】
また、本発明の請求項６に係る発明によれば、更新設定する有効期限を、残存している有効期間に対して前記更新基準期間が短い場合、当該残存している有効期間が完了するまでの期間としているため、有効期限がいたずらに延長される事態を防止することができる。
【００６５】
また、本発明の請求項７に係る発明によれば、受け入れた記録媒体に関連した価値情報の有効期限を表示する有効期限表示手段を前記記録媒体処理装置に設けているため、遊技中においても有効期限を正確に把握することができる。
【００６６】
また、本発明の請求項８に係る発明によれば、記録媒体に関連した価値情報の有効期限を利用者が認識可能な態様で記録媒体に記録を施す記録手段を設けているため、遊技中でない場合にも有効期限を正確に把握することができる。
【図面の簡単な説明】
【図１】本発明の実施の形態である遊技媒体貸出システムの概略構成を示すブロック図である。
【図２】図１の遊技媒体貸出システムで適用される記録媒体を示すもので、（ａ）は発行直後の概念図、（ｂ）はカード処理ユニットで処理された後の概念図、（ｃ）はカード更新機で処理された後の概念図である。
【図３】価値情報を記憶する際に用いる管理テーブルを示した図表である。
【図４】遊技機および記録媒体処理装置の外観を示す正面図である。
【図５】記録媒体処理装置の内部構成を示すブロック図である。
【図６】図１に示した遊技媒体貸出システムで実施されるプリペイドカード発行処理のフローチャートである。
【図７】図１に示した遊技媒体貸出システムで実施されるカード受入処理のフローチャートである。
【図８】図１に示した遊技媒体貸出システムで実施されるカード情報管理処理のフローチャートである。
【図９】図１に示した遊技媒体貸出システムで実施される有効期限更新処理のフローチャートである。
【図１０】（ａ）および（ｂ）はそれぞれ追加入金の額と有効期限の更新基準期間との対応例を示す図表である。
【図１１】図１に示した遊技媒体貸出システムで実施されるカード返却処理のフローチャートである。
【図１２】有効期限更新処理の第１変形例を示すフローチャートである。
【図１３】有効期限更新処理の第２変形例を示すフローチャートである。
【符号の説明】
１０  パチンコ機
１７  玉投出手段
２０  カード発行機
３０  カード処理ユニット
３１  カード挿入口
３２  紙幣投入口
３３  硬貨投入口
３４  度数表示部
３５  有効期限表示部
３６  返却ボタン
３７  制御部
４０  カード更新機
５０  島コントローラ
６０  ターミナルコントローラ
７０  中央管理コントローラ
３１１  カード読取部
３２１  ＢＶユニット部
３２２  紙幣搬送路
３３１  コインセレクタ部
３３２  硬貨搬送路
Ｈ  遊技店
【図１】
0003660606.tif 000002
【図２】
0003660606.tif 000003
【図３】
0003660606.tif 000004
【図４】
0003660606.tif 000005
【図５】
0003660606.tif 000006
【図６】
0003660606.tif 000007
【図７】
0003660606.tif 000008
【図８】
0003660606.tif 000009
【図９】
0003660606.tif 000010
【図１０】
0003660606.tif 000011
【図１１】
0003660606.tif 000012
【図１２】
0003660606.tif 000013
【図１３】
0003660606.tif 000014